(57)【要約】【課題】搬送方向上流側の方向からシート収用部に収容されたシートを取り出し可能な取り出し空間部が形成されない構成に比べて、排出される小サイズシートを取り出し易くすることができるシート搬送装置、画像読取装置および画像形成装置を提供する。【解決手段】読み取り位置で読み取られたシートを排出手段へ搬送する搬送路を有する搬送手段と、排出手段より排出されたシートが積載される積載部と、積載部に隣接して立ち上がる内壁面からシートの排出方向下流側に向けて配置され予め設定された最小サイズのシートを収容可能な凹部が形成されたシート収容部と、を備え、搬送路がシートの積載方向と反対側に開放されることで、シート収用部に収容されたシートを取り出し可能な取り出し空間部が形成される。【選択図】図７
2020156002.tif 000002
【特許請求の範囲】
【請求項１】
読み取り位置で読み取られたシートを排出手段へ搬送する搬送路を有する搬送手段と、
前記排出手段より排出された前記シートが積載される積載部と、
前記積載部に隣接して立ち上がる内壁面から前記シートの排出方向下流側に向けて配置され予め設定された最小サイズのシートを収容可能な凹部が形成されたシート収容部と、を備え、
前記搬送路が前記シートの積載方向と反対側に開放されることで、前記シート収用部に収容された前記シートを取り出し可能な取り出し空間部が形成される、
ことを特徴とするシート搬送装置。
【請求項２】
前記シート収容部よりも排出方向下流側に前記搬送路を開放するための回転支点を有し、前記回転支点は前記シートが搬送される搬送方向上流側の方向から前記取り出し空間部を形成する際に、前記搬送路と前記シート収容部との間隔が広がり前記シートの取り出し操作が可能となる位置とされている、
ことを特徴とする請求項１に記載のシート搬送装置。
【請求項３】
前記シート収容部は、前記積載部から取り外し可能になっている、
ことを特徴とする請求項１又は２に記載のシート搬送装置。
【請求項４】
前記シート収容部は、前記積載部から持ち上げ可能になっている、
ことを特徴とする請求項１又は２に記載のシート搬送装置。
【請求項５】
前記積載部の上面には、前記シート収容部の前記シートの排出方向と交差する方向の両側に前記シートの排出方向に沿って積載方向に突出するリブ部が形成されている、
ことを特徴とする請求項１ないし４のいずれか１項に記載のシート搬送装置。
【請求項６】
シートの画像を読み取る撮像手段と、
前記撮像手段が前記シートを読み取る読取り位置に前記シートを搬送する請求項１ないし５のいずれか１項に記載のシート搬送装置と、を備えた、
ことを特徴とする画像読取装置。
【請求項７】
シートの画像を読み取る請求項６に記載の画像読取装置と、
前記画像読取装置で読み取った画像を記録媒体に記録する画像記録手段と、を備えた、
ことを特徴とする画像形成装置。
【発明の詳細な説明】
【技術分野】
【０００１】
本発明は、シート搬送装置、画像読取装置および画像形成装置に関する。
【背景技術】
【０００２】
読み取り位置へ給送するための原稿を載置する給紙皿と、読み取り後に排紙される原稿を収容する排紙皿とを設け、給紙皿の下に排紙皿が配置され、給紙皿と排紙皿の間を原稿が搬送される間に画像読み取りが行なわれる自動原稿送り装置において、排紙皿に収容された原稿を排紙皿の後端部へ移動させる機構を有する自動原稿送り装置が知られている（特許文献１）。
【０００３】
原稿の画像を読み取るために原稿を１枚ずつ供給、搬送する自動原稿送り装置であって、
画像を読み取られた原稿を第１の排出位置に搬送する第１の搬送路と、画像を読み取られた原稿を第１の排出位置より上側に設けられる第２の排出位置に搬送する第２の搬送路と、原稿のサイズに応じて、第１の搬送路と第２の搬送路とのいずれか一方に原稿を搬送する切り替え部と、第１の排出位置及び第２の排出位置から排出される原稿を収容する収容部と、を備え、第１の搬送路は、第２の搬送路よりも小さなサイズの原稿を搬送する搬送路である自動原稿送り装置も知られている（特許文献２）。
【先行技術文献】
【特許文献】
【０００４】
【特許文献１】特開２００２−６２６９３号公報
【特許文献２】特開２０１７−１６５４９８号公報
【発明の概要】
【発明が解決しようとする課題】
【０００５】
本発明は、搬送方向上流側の方向からシート収用部に収容されたシートを取り出し可能な取り出し空間部が形成されない構成に比べて、排出される小サイズシートを取り出し易くすることができるシート搬送装置、画像読取装置および画像形成装置を提供することを目的とする。
【課題を解決するための手段】
【０００６】
前記課題を解決するために、請求項１に記載のシート搬送装置は、
読み取り位置で読み取られたシートを排出手段へ搬送する搬送路を有する搬送手段と、
前記排出手段より排出された前記シートが積載される積載部と、
前記積載部に隣接して立ち上がる内壁面から前記シートの排出方向下流側に向けて配置され予め設定された最小サイズのシートを収容可能な凹部が形成されたシート収容部と、を備え、
前記搬送路が前記シートの積載方向と反対側に開放されることで、前記シート収用部に収容された前記シートを取り出し可能な取り出し空間部が形成される、
ことを特徴とする。
【０００７】
請求項２に記載の発明は、請求項１に記載のシート搬送装置において、
前記シート収容部よりも排出方向下流側に前記搬送路を開放するための回転支点を有し、前記回転支点は前記シートが搬送される搬送方向上流側の方向から前記取り出し空間部を形成する際に、前記搬送路と前記シート収容部との間隔が広がり前記シートの取り出し操作が可能となる位置とされている、
ことを特徴とする。
【０００８】
請求項３記載の発明は、請求項１又は２に記載のシート搬送装置において、
前記シート収容部は、前記積載部から取り外し可能になっている、
ことを特徴とする。
【０００９】
請求項４記載の発明は、請求項１又は２に記載のシート搬送装置において、
前記シート収容部は、前記積載部から持ち上げ可能になっている、
ことを特徴とする。
【００１０】
請求項５記載の発明は、請求項１ないし４のいずれか１項に記載のシート搬送装置において、
前記積載部の上面には、前記シート収容部の前記シートの排出方向と交差する方向の両側に前記シートの排出方向に沿って積載方向に突出するリブ部が形成されている、
ことを特徴とする。
【００１１】
前記課題を解決するために、請求項６に記載の画像読取装置は、
シートの画像を読み取る撮像手段と、
前記撮像手段が前記シートを読み取る読取り位置に前記シートを搬送する請求項１ないし５のいずれか１項に記載のシート搬送装置と、を備えた、
ことを特徴とする。
【００１２】
前記課題を解決するために、請求項７に記載の画像形成装置は、
シートの画像を読み取る請求項６に記載の画像読取装置と、
前記画像読取装置で読み取った画像を記録媒体に記録する画像記録手段と、を備えた、
ことを特徴とする。
【発明の効果】
【００１３】
請求項１、６、７に記載の発明によれば、搬送方向上流側の方向からシート収用部に収容されたシートを取り出し可能な取出空間部が形成されない構成に比べて、排出される小サイズシートを取り出し易くすることができる。
【００１４】
請求項２に記載の発明によれば、取り出し空間部を拡大することができる。
【００１５】
請求項３に記載の発明によれば、シート収容部に収容された小サイズシートを取り出し易くすることができる。
【００１６】
請求項４に記載の発明によれば、シート収容部に収容された小サイズシートを取り出し易くすることができる。
【００１７】
請求項５に記載の発明によれば、小サイズ以外のシートの積載部での排出抵抗を少なくすることができる。
【図面の簡単な説明】
【００１８】
【図１】画像形成装置の内部構成を示す断面模式図である。
【図２】画像読取装置の内部構成を示す断面構成図である。
【図３】画像読取装置のシート積載部及び自動シート送り部を上方へ開いた状態の斜視図である。
【図４】画像読取装置の排紙トレイを示す斜視図である。
【図５】画像読取装置におけるシートの搬送を示す断面模式図である。
【図６】シート積載部と自動シート送り部を上方に上げて自動シート送り部のシート搬送路を開放した状態を示す斜視図である。
【図７】シート搬送路を開放した状態を示す画像読取装置の断面模式図である。
【図８】変形例１に係るシート収容部を有する画像読取装置におけるシート収容部へのアクセスを説明する断面模式図である。
【図９】変形例２に係るシート収容部を有する画像読取装置におけるシート収容部へのアクセスを説明する断面模式図である。
【図１０】シート収容部を備えていない比較例の画像読取装置における小サイズシートの搬送と排紙トレイへの排出状態を示す図である。
【発明を実施するための形態】
【００１９】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００２０】
（１）画像形成装置の全体構成及び動作
図１は本実施形態に係る画像形成装置１の内部構成を示す断面模式図、図２は画像読取装置２の内部構成を示す断面構成図、図３は画像読取装置２のシート積載部２１及び自動シート送り部２２を上方へ開いた状態の斜視図である。以下、図面を参照しながら、画像形成装置１の全体構成及び動作を説明する。
【００２１】
（１．１）全体構成
画像形成装置１は、原稿等のシートＳから画像を読み取って画像データに変換する画像読取装置２、読み取った画像データを記録媒体としての用紙に印刷する画像記録手段としての画像形成部３、ユーザーインターフェイスとしての操作情報部４、画像処理部５、を備えて構成されている。
【００２２】
画像読取装置２は、シート積載部２１と、自動シート送り部２２と、撮像手段の一例としての画像読取部２３とを備えて構成されている。自動シート送り部２２は、シート積載部２１に置かれたシートＳを画像読取部２３の読取位置に搬送し、画像読取部２３のＣＣＤ（Charge Coupled Device）ラインセンサ等のイメージセンサ（不図示）で読み取られた画像は電気信号である画像データに変換される。
【００２３】
画像形成部３は、給紙装置３２、露光装置３３、感光体ユニット３４、現像装置３５、転写装置３６、定着装置３７を備えて構成され、画像処理部５から受け取った画像情報を給紙装置３２から送り込まれた用紙Ｐ上にトナー像として形成する。
【００２４】
画像読取装置２の前面側には、ユーザーインターフェイスとしての操作情報部４が配置されている。操作情報部４は、液晶表示パネル、各種操作ボタン、タッチパネル等を組み合わせて構成され、画像形成装置１の使用者は、操作情報部４を介して各種の設定や指示の入力を行う。また、液晶表示パネルを介して画像形成装置１の使用者へ各種情報を表示する。
【００２５】
画像処理部５は、画像読取装置２で読み取られた画像及び外部機器（例えばパーソナルコンピュータ等）から送信された印刷情報から画像データを生成する。
【００２６】
（１．２）画像形成部
画像形成部３では、画像形成のタイミングに合わせて給紙装置３２から印刷ジョブで印刷の１枚毎に指定された用紙Ｐが画像形成部３へ送り込まれる。
【００２７】
感光体ユニット３４は、給紙装置３２の上方に、それぞれが並列して設けられ、回転駆動する感光体ドラム３４１を備えている。露光装置３３により静電潜像が形成されたそれぞれの感光体ドラム３４１上には、それぞれの現像装置３５によってイエロー（Ｙ）、マゼンタ（Ｍ）、シアン（Ｃ）、黒（Ｋ）のトナー像が形成される。
【００２８】
各感光体ユニット３４の感光体ドラム３４１に形成された各色トナー像は、転写装置３６の中間転写ベルト３６１上に順次静電転写（一次転写）され、各色トナーが重畳された重畳トナー像が形成される。中間転写ベルト３６１上の重畳トナー像は、レジストローラ対３２１から送り出され、搬送ガイドにより案内された用紙Ｐに二次転写ローラ３６２によって一括転写される。  
【００２９】
定着装置３７は一対の加熱モジュール３７１と加圧モジュール３７２の圧接領域によって定着ニップＦＮ（定着領域）が形成される。
転写装置３６においてトナー像が一括転写された用紙Ｐは、トナー像が未定着の状態で搬送ガイド３６３を介して定着装置３７の定着ニップＮＦに搬送され、一対の加熱モジュール３７１と加圧モジュール３７２により、加熱と圧着の作用でトナー像が定着される。
【００３０】
定着トナー像が形成された用紙Ｐは、切替ゲート３７４にガイドされ、第１排出ローラ対３７３から画像形成装置１上面の排紙トレイ部ＴＲ１に排出・収容される。また、両面印刷のために反転したり、画像記録面を上側にして排出する場合は、切替ゲート３７４で搬送路３７５に向って搬送方向が切り替えられる。
【００３１】
（１．３）画像読取装置
画像読取装置２は、シート積載部２１と、自動シート送り部２２と、画像読取部２３とを備えている。なお、シート積載部２１と自動シート送り部２２は、図３に示すように、ヒンジ機構２４によって画像読取部２３の上方へ開閉可能に連結されている。  
【００３２】
シート積載部２１は、画像が記録されたシートＳが載置されるシートトレイ２１２を備えている。
自動シート送り部２２は、シートトレイ２１２上に積載されたシートＳを上から順に取り出すナジャーローラ２２１と、フィードローラ２２２及びリタードローラ２２３からなる分離部２２０を備えている。
分離部２２０では、フィードローラ２２２とリタードローラ２２３とが対となって、シートＳが重なってニップ部Ｎに送り出された場合に、シートＳを分離して（捌いて）、一枚ずつ画像読取部２３に搬送する。
【００３３】
シート搬送路Ｇ１には、シートＳの搬送方向に対して、フィードローラ２２２の下流側の位置に、テイクアウェイローラ２５０が配置されている。テイクアウェイローラ２５０は、フィードローラ２２２で送り出されるシートＳを、プレレジローラ２６０へ搬送する。
【００３４】
プレレジローラ２６０の下流側には、シートＳの搬送タイミングを調整するレジローラ２７０が配置されている。プレレジローラ２６０は停止しているレジローラ２７０にシートＳの先端を突き当てた状態でループを形成して斜行を補正する。レジローラ２７０は読み取りの開始タイミングに合わせて回転駆動され、シートＳはテイクアウェイローラ２５０及びプレレジローラ２６０でループを保持された状態でプラテンローラ２８０によって、シート通過面ＰＧ１に押し当てられて表面を画像読取部２３で読み取られる。
【００３５】
シート通過面ＰＧ１の右方には、操作者が載置したシートＳが支持されるシート載置面ＰＧ２が配置されている。シート通過面ＰＧ１と、シート載置面ＰＧ２との間には、シートガイドＰＧ３が配置され、シート通過面ＰＧ１を通過したシートＳはシートガイドＰＧ３に案内されて読取センサ２３２へ搬送される。表面を画像読取部２３で読み取られたシートＳは、読取センサ２３２で裏面を読み取られながらシート搬送路Ｇ２内を搬送され、排出ローラ２９０でシート積載部２１の下方に形成された排紙トレイ２１６に排出される。
【００３６】
シート載置面ＰＧ２の下部には、シートＳの画像を光学的に読み取って電気信号に変換する画像読取センサ２３１が設けられており、シート通過面ＰＧ１上を通過するシートＳ、又は、シート載置面ＰＧ２上に設置されたシートＳの画像を読み取る。読み取った画像は、電気信号である画像データに変換される。
【００３７】
（２）排紙トレイの構成と動作
図４は画像読取装置２の排紙トレイ２１６を示す斜視図、図５は画像読取装置２におけるシートＳの搬送を示す断面模式図、図６はシート積載部２１と自動シート送り部２２を上方に上げて自動シート送り部２２のシート搬送路Ｇ２を開放した状態を示す斜視図、図７はシート搬送路Ｇ２を開放した状態を示す画像読取装置２の断面模式図、図１０はシート収容部２１８を備えていない比較例の画像読取装置２００における小サイズシートの搬送と排紙トレイ３１８への排出状態を示す図である。
以下、図面を参照しながら、排紙部の構成と動作について説明する。
【００３８】
図１０はシート収容部２１８を備えていない比較例の画像読取装置２００における小サイズシートの搬送と排紙トレイＴＲ２への排出状態を示している。
最小サイズＳｍｎのシートの一例として、名刺ＮＣをシートトレイ２１２に載置してサイドガイド２１５を名刺ＮＣの両端部の位置に合わせ読み取りを開始する。シートトレイ２１２上の名刺ＮＣは、幅方向がサイドガイド２１５で位置決めされた状態でナジャーローラ２２１で送り出され、一枚ずつ画像読取部２３に搬送される。
【００３９】
画像読取部２３で画像が読み取られた名刺ＮＣは、排出ローラ２９０でシート積載部２１の下方に形成された排紙トレイＴＲ２に排出される。ここで、名刺ＮＣは、通常のシートと異なり、そのサイズは小さいが、シートの坪量は大きく、図１０に模式的に示すように、排紙トレイＴＲ２上で積載された排出姿勢が不揃いになりやすく、順狂いが発生する虞もあった。また、排出されたシートの積載位置がシートトレイ２１２に覆われた排紙トレイＴＲ２のシート排出方向における上流側であり、積載された名刺ＮＣにアクセス（図１０中  矢印Ａ参照）しにくいという問題もあった。
【００４０】
本実施形態に係る排紙トレイ２１６は、シートトレイ２１２の下方に設けられ、排出ローラ２９０から排出される読取後のシートＳを積載する。排紙トレイ２１６は排出ローラ２９０の下方に設けられた内壁面２１７を起点としてシート排出方向の下流側に内壁面２１７と隣接するように設けられている。
【００４１】
排紙トレイ２１６のシート積載面２１６ａには、シート排出方向の下流側に向かってなだらかに傾斜するシート案内部２１６ｂが形成され、排出ローラ２９０から排出されるシートＳを使用者が取り出しやすい状態で積載する。
【００４２】
排紙トレイ２１６のシート積載面２１６ａには、シート収容部２１８が設けられている。シート収容部２１８は、内壁面２１７からシート排出方向の下流側に向けて凹部２１８ａとして形成され、予め設定された最小サイズＳｍｎのシートＳを凹部２１８ａに収容可能となっている。本実施形態においては、最小サイズＳｍｎのシートとしては、名刺ＮＣやレシートＲＰ等が挙げられる。
【００４３】
排紙トレイ２１６のシート積載面２１６ａには、シート収容部２１８のシート排出方向と交差する方向の両側にリブ部２１６ｃが形成されている。リブ部２１６ｃは、シート収容部２１８の凹部２１８ａに沿ってシート排出方向の下流側に向かってなだらかに傾斜し、最小サイズＳｍｎ以外のシートＳがシート収容部２１８の凹部２１８ａに落ち込まないように案内しシート積載面２１６ａでの排出抵抗を少なくしている。
【００４４】
図５には排紙トレイ２１６にシート収容部２１８を有する画像読取装置２における小サイズシート及び通常サイズのシートの搬送と排紙トレイ２１６への排出状態を示している。
シート積載部２１のシートトレイ２１２に最小幅のサイズを持つ名刺ＮＣを載置して読み取りを開始すると、シートトレイ２１２上の名刺ＮＣは、幅方向がサイドガイド２１５で位置決めされた状態でナジャーローラ２２１によって送り出され、一枚ずつ画像読取部２３に搬送される。
【００４５】
画像読取部２３で画像が読み取られた名刺ＮＣは、排出ローラ２９０で排紙トレイ２１６のシート積載面２１６ａに設けられたシート収容部２１８に収容される。シート収容部２１８は凹部２１８ａを有し、排出方向下流側はなだらかな傾斜面２１８ｃが形成され、小サイズシートとしての名刺ＮＣは凹部２１８ａ上で順狂いになることもなく、排出姿勢の乱れが抑制された状態で積載される。
【００４６】
また、最小サイズＳｍｎ以外のシートＳは、図５に示すように、シート収容部２１８のシート排出方向と交差する方向の両側に形成されたリブ部２１６ｃからシート案内部２１６ｂに案内されて排紙トレイ２１６のシート積載面２１６ａ上に積載される。
【００４７】
このように構成される排紙トレイ２１６に設けられたシート収容部２１８は、排出ローラ２９０のシート搬送方向における上流側のシート搬送路Ｇ２の下面側を形成する下側案内シュートＳＨと内壁面２１７を介して一体として設けられている。下側案内シュートＳＨは、図６に示すように、シート積載部２１及び自動シート送り部２２を上方に開き、操作レバーＬＶを操作してシートＳの積載方向と反対側となる下側に回転させることで、シート搬送路Ｇ２を開放し下側案内シュートＳＨを外部からアクセス可能に露出させることができる。
【００４８】
図７に示すように、シート収容部２１８はシート収容部２１８よりも排出方向下流側にシート搬送路Ｇ２を開放するための回転支点２１８ｂを有している。
具体的には、回転支点２１８ｂはシートＳの搬送方向上流側の方向からシート収容部２１８にアクセスして凹部２１８ａ収容された小サイズシートを取り出すための取り出し空間部ＲＭを形成する際に、下側案内シュートＳＨとシート収容部２１８との間隔が広がりシートＳの取り出し操作が可能となる位置に形成されている。
【００４９】
このように内壁面２１７を挟んでシート搬送路Ｇ２の一面を形成する下側案内シュートＳＨと排紙トレイ２１６に設けられたシート収容部２１８を一体に形成（図７においてハッチングで示す）して、回転支点２１８ｂを回転中心として下側案内シュートＳＨを回転させることでシート収容部２１８にシート搬送方向の上流側からアクセスするための取り出し空間部ＲＭを形成することができる。
【００５０】
これにより、シート収容部２１８に小サイズシートである名刺ＮＣを積載した場合、シート積載部２１及び自動シート送り部２２を上方に開いた状態で、操作レバーＬＶを操作して下側案内シュートＳＨを回転支点２１８ｂを回転中心として回転させることでシート搬送方向の上流側からシート収容部２１８にアクセスしてシート収容部２１８に積載された名刺ＮＣを取り出すことができる。
【００５１】
「変形例１」
図８は変形例１に係るシート収容部２１８Ａを有する画像読取装置２におけるシート収容部２１８Ａへのアクセスを説明する断面模式図である。
変形例１に係るシート収容部２１８Ａは、全体が箱状で排紙トレイ２１６のシート積載面２１６ａから取り外し可能に配置されている。
【００５２】
シート収容部２１８Ａに小サイズシートである名刺ＮＣを積載した場合、シート積載部２１及び自動シート送り部２２を上方に開いた状態で、下側案内シュートＳＨを回転支点２１８ｂを回転中心として回転させることでシート搬送方向の上流側からシート収容部２１８Ａにアクセスして名刺ＮＣが積載されたシート収容部２１８Ａを取り出すことができる。
【００５３】
「変形例２」
図９は変形例２に係るシート収容部２１８Ｂを有する画像読取装置２におけるシート収容部２１８Ｂへのアクセスを説明する断面模式図である。
変形例２に係るシート収容部２１８Ｂは、全体が箱状で排紙トレイ２１６のシート積載面２１６ａに対して回転支点２１８Ｂａを回転中心として持ち上げ可能に配置されている。特に、シート収容部２１８Ｂは、持ち上げた状態でその姿勢を維持するようにラッチ機構を有していてもよい。
【００５４】
シート収容部２１８Ａに小サイズシートである名刺ＮＣを積載した場合、シート積載部２１及び自動シート送り部２２を上方に開いた状態で、下側案内シュートＳＨを回転支点２１８ｂを回転中心として回転させることでシート搬送方向の上流側からシート収容部２１８Ｂにアクセスしてシート収容部２１８Ｂを持ち上げながらシート収容部２１８Ｂに積載された名刺ＮＣをより容易に取り出すことができる。
【００５５】
本実施形態においては、シート搬送路Ｇ２がシートＳの積載方向と反対側に開放されることで、シートトレイ２１２で覆われる排紙トレイ２１６上に設けられたシート収容部２１８にシートトレイ２１２を上方へ跳ね上げることなくアクセス可能となり、積載された小サイズシートを取り出し易くすることができる。
【符号の説明】
【００５６】
１・・・画像形成装置
２、２００・・・画像読取装置
２１・・・シート積載部
２１２・・・シートトレイ
２１６・・・排紙トレイ
２１７・・・内壁面
２１８、２１８Ａ、２１８Ｂ・・・シート収容部
２２・・・自動シート送り部
Ｇ１、Ｇ２・・・シート搬送路
ＳＨ・・・下側案内シュート
ＲＭ・・・取り出し空間
２３・・・画像読取部
３・・・画像形成部
４・・・操作情報部
５・・・画像処理部
【図１】
2020156002.tif 000003
【図２】
2020156002.tif 000004
【図３】
2020156002.tif 000005
【図４】
2020156002.tif 000006
【図５】
2020156002.tif 000007
【図６】
2020156002.tif 000008
【図７】
2020156002.tif 000009
【図８】
2020156002.tif 000010
【図９】
2020156002.tif 000011
【図１０】
2020156002.tif 000012